(57)【要約】【課題】  本発明は、各ＡＶ機器の上下位置や、向きを簡単に変更することでき、映像および音響を鑑賞するのに適した位置を簡単に変更することができ、映像および音響を鑑賞する際のユーザの自由度を向上させることができるスタンド装置を提供することを課題とする。【解決手段】  フラットディスプレイ１０、再生装置１１およびサブウーハ１５を除く５．１ｃｈ用のスピーカ装置（センタスピーカ１２、左右のフロントスピーカ１３および左右のリアスピーカ１４）を一体で取り付けるＡＶ機器取付パネル６と、ＡＶ機器取付パネル６を上下方向に移動可能に支持する中空パイプ３および昇降パイプ５と、中空パイプ３が立設され、台座１に回転自在に取り付けられているターンテーブル２とで構成されているため、フラットディスプレイ１０、再生装置１１およびサブウーハ１５を除く５．１ｃｈ用のスピーカ装置の上下位置や、向きを簡単に変更することできる。【選択図】        図１
2005303479.tif 000002
【特許請求の範囲】
【請求項１】
ディスプレイと、再生装置と、５．１ｃｈ用のスピーカ装置とを保持するスタンド装置であって、
前記ディスプレイ、前記再生装置およびサブウーハを除く前記スピーカ装置を一体で取り付ける取り付け手段と、
該取り付け手段を上下方向に移動可能に支持する上下昇降手段と、
該上下昇降手段が立設され、台座に回転自在に取り付けられているターンテーブルとを具備することを特徴とするスタンド装置。
【請求項２】
前記上下昇降手段は、前記ターンテーブルに立設され、中空部分に昇降機構が組み込まれた少なくとも２本の中空パイプと、
該中空パイプのそれぞれに貫装された昇降パイプとからなり、
前記ターンテーブルに立設された前記中空パイプ間には、前記サブウーハを載置するスペースが確保されていることを特徴とする請求項１記載のスタンド装置。
【請求項３】
前記上下昇降手段は、１本になっている部分が垂直方向に向くように二股に分かれた部分が前記ターンテーブルに立設された二股に分かれた中空パイプと、
該中空パイプの１本になっている部分に貫装された昇降パイプとからなり、
前記中空パイプの１本になっている部分に昇降機構が組み込まれていることを特徴とする請求項１記載のスタンド装置。
【請求項４】
前記取り付け手段は、少なくとも左右２箇所を前記上下昇降手段によって支持されていることを特徴とする請求項１乃至３のいずれかに記載のスタンド装置。
【請求項５】
前記ディスプレイと、前記再生装置と、前記サブウーハを除く前記スピーカ装置とは、隣接配置されていることを特徴とする請求項１乃至４のいずれかに記載のスタンド装置。
【発明の詳細な説明】
【技術分野】
【０００１】
本発明は、ＡＶ機器を保持するスタンド装置に関し、特に液晶表示装置や、プラズマ表示装置等の薄く平面型の表示デバイスにより構成したディスプレイ（以下、フラットディスプレイと称す）と、ＤＶＤプレーヤ等の再生装置と、５．１ｃｈ用のスピーカ装置（センタスピーカ、左右のフロントスピーカ、左右のリアスピーカおよびサブウーハ）とを保持するスタンド装置に関する。
【背景技術】
【０００２】
近年、ＡＶ機器の低価格化、コンパクト化が急速に進み、家庭で映画等の映像および音響を鑑賞するホームシアターが、手軽に楽しめるものとなりつつあり、ホームシアターは、今後、ますます普及していくことが見込まれている。
【０００３】
このようなホームシアターは、フラットディスプレイと、再生装置と、５．１ｃｈ用のスピーカ装置（センタスピーカ、左右のフロントスピーカ、左右のリアスピーカおよびサブウーハ）とからなるＡＶ機器で構成されたものが主流を占めており、各ＡＶ機器が室内に分散して設置される。
【０００４】
特にフラットディスプレイの設置は、平面型であるため、発売当初は、壁面に取り付ける、所謂壁掛けディスプレイとして用いられることが想定されていたが、実際には、その重量によって壁面の補強等が必要になるため、台座部と、当該台座部の上方に取り付けられるディスプレイ支持板と、当該ディスプレイ支持板の正面上方に設けられ、フラットディスプレイを着脱可能なディスプレイ取付部とからなるスタンド装置が用いられることが主流になっている（例えば、特許文献１参照）。
【０００５】
しかしながら、従来技術では、フラットディスプレイを取り付けるスタンド装置は、フラットディスプレイの上下位置および向きを固定的に取り付けていると共に、５．１ｃｈ用のスピーカ装置が室内に分散して設置されているため、各ＡＶ機器の上下位置や、向きを変更することが事実上困難であり、映像および音響を鑑賞するのに適した場所が限られてしまうという問題点があった。
【特許文献１】特開２００３−２８０５４５号公報
【発明の開示】
【発明が解決しようとする課題】
【０００６】
本発明は斯かる問題点を鑑みてなされたものであり、その目的とするところは、各ＡＶ機器の上下位置や、向きを簡単に変更することでき、映像および音響を鑑賞するのに適した場所を簡単に変更することができ、映像および音響を鑑賞する際のユーザの自由度を向上させることができるスタンド装置を提供する点にある。
【課題を解決するための手段】
【０００７】
本発明は上記課題を解決すべく、以下に掲げる構成とした。
【０００８】
本発明のスタンド装置は、ディスプレイと、再生装置と、５．１ｃｈ用のスピーカ装置とを保持するスタンド装置であって、前記ディスプレイ、前記再生装置およびサブウーハを除く前記スピーカ装置を一体で取り付ける取り付け手段と、該取り付け手段を上下方向に移動可能に支持する上下昇降手段と、該上下昇降手段が立設され、台座に回転自在に取り付けられているターンテーブルとを具備することを特徴とする。
【０００９】
さらに、本発明のスタンド装置は、前記上下昇降手段は、前記ターンテーブルに立設され、中空部分に昇降機構が組み込まれた少なくとも２本の中空パイプと、該中空パイプのそれぞれに貫装された昇降パイプとからなり、前記ターンテーブルに立設された前記中空パイプ間には、前記サブウーハを載置するスペースが確保されていることを特徴とする。
【００１０】
さらに、本発明のスタンド装置は、前記上下昇降手段は、１本になっている部分が垂直方向に向くように二股に分かれた部分が前記ターンテーブルに立設された二股に分かれた中空パイプと、該中空パイプの１本になっている部分に貫装された昇降パイプとからなり、前記中空パイプの１本になっている部分に昇降機構が組み込まれていることを特徴とする。
【００１１】
さらに、本発明のスタンド装置は、前記取り付け手段は、少なくとも左右２箇所を前記上下昇降手段によって支持されていることを特徴とする。
【００１２】
さらに、本発明のスタンド装置は、前記ディスプレイと、前記再生装置と、前記サブウーハを除く前記スピーカ装置とは、隣接配置されていることを特徴とする請求項１乃至４のいずれかに記載のスタンド装置。
【発明の効果】
【００１３】
本発明のスタンド装置は、ディスプレイ、再生装置およびサブウーハを除く５．１ｃｈ用のスピーカ装置を一体で取り付ける取り付け手段と、取り付け手段を上下方向に移動可能に支持する上下昇降手段と、上下昇降手段が立設され、台座に回転自在に取り付けられているターンテーブルとで構成されているため、ディスプレイ、再生装置およびサブウーハを除く５．１ｃｈ用のスピーカ装置の上下位置や、向きを簡単に変更することでき、映像および音響を鑑賞するのに適した場所を簡単に変更することができ、映像および音響を鑑賞する際のユーザの自由度を向上させることができるという効果を奏する。
【発明を実施するための最良の形態】
【００１４】
以下、本発明の実施の形態を図面に基づいて詳細に説明する。
【００１５】
図１は、本発明に係るスタンド装置の実施の形態の構成を示す正面図であり、図２は、図１に示すスタンド装置の上面図であり、図３は、図１に示すスタンド装置の側面図であり、図４は、図１に示す中空パイプに組み込まれたガスダンパの構成を示す断面図である。
【００１６】
本実施の形態のスタンド装置は、フラットディスプレイ１０と、映像および音響を再生するＤＶＤプレーヤ等の再生装置１１と、５．１ｃｈ用のスピーカ装置（センタスピーカ１２、左右のフロントスピーカ１３、左右のリアスピーカ１４およびサブウーハ１５）とからなるＡＶ機器を保持するための装置であり、図１乃至図３を参照すると、円板状の台座１に円板状のターンテーブル２が円心を中心に回転自在に取り付けられており、ターンテーブル２に２本の中空パイプ３が垂直に立設されている。２本の中空パイプ３の間には、補強のための化粧パネル４が架け渡され、２本の中空パイプ３間が等間隔に維持されるように構成されている。なお、ターンテーブル２における２本の中空パイプ３の立設位置は、ターンテーブル２の円心から同一距離であって、２本の中空パイプ３を結んだ線がターンテーブル２の円心からずれるように取り付けられる。
【００１７】
２本の中空パイプ３には、それぞれ昇降パイプ５が伸縮自在に貫装されている。なお、中空パイプ３の中空部分には、昇降機構であるガスダンパ２０が組み込まれており、昇降パイプ５の伸縮動作に必要な操作力を軽減させると共に、昇降パイプ５を任意の位置に保持することができる構成になっている。
【００１８】
ガスダンパ２０は、ロック状態では、昇降パイプ５の上下位置を固定し、ロック解除状態では、昇降パイプ５が支持する重量に相当する力で昇降パイプ５を支持すると共に軽い操作力で昇降パイプ５の伸縮を可能とするためのものであり、図４を参照すると、昇降パイプ５の先端に形成され、中空パイプ３内を移動するピストン２１と、ピストン２１と中空パイプ３の底部との間に配置されたフリーピストン２２とを有し、ピストン２１の両側にオイル２３を収納し、フリーピストン２２より中空パイプ３の底部側に窒素ガス２４を収納し、ピストン２１を貫通する連結孔２５を開閉するロック解除ピン２６を昇降パイプ５の中空部分に配置したものである。図４は、連結孔２５がロック解除ピン２６によって閉じられているロック状態を示すものであり、このロック状態において、ロック解除ピン２６を中空パイプ３側に押し込むことにより、ピストン２１を貫通する連結孔２５が開いてロック状態が解除され、このロック状態が解除された状態で一定の押し込み力を昇降パイプ５に加えると昇降パイプ５が縮む。このとき、ロック解除ピン２６を離すと、窒素ガス２４のガス圧によって連結孔２５が閉じられ、再びロック状態に自動復帰するものである。なお、ロック解除ピン２６は、図２および図３に示す昇降レバー２７に連結されており、昇降レバー２７を操作することにより、連結孔２５を開閉が行えるように構成されている。
【００１９】
２本の中空パイプ３にそれぞれ貫装された２本の昇降パイプ５のターンテーブルの円心側には、ＡＶ機器取付パネル６が架け渡され、ＡＶ機器取付パネル６の上部前面には、ディスプレイ取付パネル７が取り付けられていると共に、ＡＶ機器取付パネル６の下部の両脇に張り出すようにスピーカ取付具８が取り付けられている。このように２本の昇降パイプ５にＡＶ機器取付パネル６が架け渡されているため、ＡＶ機器取付パネル６は、左右２箇所で支持されて安定する。なお、図２に示す符号９は、昇降パイプ５の上部を覆う化粧カバーである。また、図１には、図示されていないが、ＡＶ機器取付パネル６、ディスプレイ取付パネル７およびスピーカ取付具８には、ＡＶ機器をネジ留めするための開口や、ＡＶ機器の背面に設けられたフックと係合する開口が適宜形成されている。
【００２０】
フラットディスプレイ１０は、ディスプレイ取付パネル７に取り付けられ、フラットディスプレイ１０の下方位置に、再生装置１１と、センタスピーカ１２とがＡＶ機器取付パネル６に取り付けられる。なお、ディスプレイ取付パネル７は、フラットディスプレイ１０と、再生装置１１およびセンタスピーカ１２との奥行きが異なっている場合に、前面を揃えるために使用されるもので、ディスプレイ取付パネル７は、フラットディスプレイ１０と、再生装置１１およびセンタスピーカ１２との奥行きが同一であれば、フラットディスプレイ１０をＡＶ機器取付パネル６に直接取り付けるようにしても良い。
【００２１】
左右のフロントスピーカ１３と、左右のリアスピーカ１４とは、リアスピーカ１４が外側に位置するように、ＡＶ機器取付パネル６の下部の両脇に張り出したスピーカ取付具８に取り付けられ、サブウーハ１５は、ターンテーブル２の２本の中空パイプ３間に載置される。
【００２２】
図１（ａ）および図３（ａ）には、昇降パイプ５を延ばし、フラットディスプレイ１０、再生装置１１、センタスピーカ１２、左右のフロントスピーカ１３および左右のリアスピーカ１４を一体で上方に位置させた状態が示されており、この場合には、立った状態や高めの椅子に座った状態で映像および音響を鑑賞するのに適している。また、図１（ｂ）および図３（ｂ）には、昇降パイプ５を縮め、フラットディスプレイ１０、再生装置１１、センタスピーカ１２、左右のフロントスピーカ１３および左右のリアスピーカ１４を一体で下方に位置させた状態が示されており、この場合には、床に座った状態やソファーに座った状態で映像および音響を鑑賞する場合に適している。特に、主に音声を出力するセンタスピーカ１２がフラットディスプレイ１０に追随して上下に移動するため、どの高さにフラットディスプレイ１０を位置させても画面の近傍から音声が出力されるため、リアリティのある音響効果を得ることが可能になる。
【００２３】
図２（ａ）、（ｂ）には、ターンテーブル２を回転させて、フラットディスプレイ１０、再生装置１１、センタスピーカ１２、左右のフロントスピーカ１３および左右のリアスピーカ１４を一体で向きを変えた状態が示されており、どの方向にフラットディスプレイ１０を向けても、センタスピーカ１２、左右のフロントスピーカ１３および左右のリアスピーカ１４が追随して、フラットディスプレイ１０を向けた方向に音響を出力することになり、常の最適の音響効果が得られる。
【００２４】
以上説明したように、本実施の形態によれば、フラットディスプレイ１０、再生装置１１およびサブウーハ１５を除く５．１ｃｈ用のスピーカ装置（センタスピーカ１２、左右のフロントスピーカ１３および左右のリアスピーカ１４）を一体で取り付けるＡＶ機器取付パネル６と、ＡＶ機器取付パネル６を上下方向に移動可能に支持する中空パイプ３および昇降パイプ５と、中空パイプ３が立設され、台座１に回転自在に取り付けられているターンテーブル２とで構成されているため、フラットディスプレイ１０、再生装置１１およびサブウーハ１５を除く５．１ｃｈ用のスピーカ装置（センタスピーカ１２、左右のフロントスピーカ１３および左右のリアスピーカ１４）の上下位置や、向きを簡単に変更することでき、映像および音響を鑑賞するのに適した場所を簡単に変更することができ、映像および音響を鑑賞する際のユーザの自由度を向上させることができるという効果を奏する。
【００２５】
次に、本発明の他の実施の形態を図５に基づいて詳細に説明する。
図５は、本発明に係るスタンド装置の他の実施の形態の中空パイプおよび昇降パイプの構成を示す正面図である。
【００２６】
他の実施の形態では、図５に示すように、二股に分かれた中空パイプ３１を、１本になっている部分が垂直方向に向くように二股に分かれた部分をターンテーブル２に立設させ、中空パイプ３１の１本になっている部分に、二股に分かれた昇降パイプ３２の１本なっている部分を貫装するように構成させ、中空パイプ３１の１本になっている部分に、昇降機構であるガスダンパ２０が組み込まれている。
【００２７】
昇降パイプ３２の二股に分かれた部分には、ＡＶ機器取付パネル６が取り付けられ（図５には、不図示）、フラットディスプレイ１０、再生装置１１、センタスピーカ１２、左右のフロントスピーカ１３および左右のリアスピーカ１４を一体で取り付けられる。このように昇降パイプ３２の二股に分かれた部分にＡＶ機器取付パネル６が取り付けられているため、ＡＶ機器取付パネル６は、左右２箇所で支持されて安定する。
【００２８】
左右２個の昇降機構でフラットディスプレイ１０、再生装置１１、センタスピーカ１２、左右のフロントスピーカ１３および左右のリアスピーカ１４を一体で昇降させる場合には、左右の昇降機構のバランスが悪いと上下動に支障を来す場合があるが、他の実施の形態では、フラットディスプレイ１０、再生装置１１、センタスピーカ１２、左右のフロントスピーカ１３および左右のリアスピーカ１４を一体で昇降させるに際し、１個の昇降機構で昇降させることができるため、上下の移動をスムーズに行うことが可能になる。
【００２９】
また、中空パイプ３１の二股に分かれた部分をターンテーブル２に立設させることにより、中空パイプ３１を安定して支持することができると共に、ターンテーブル２にサブウーハ１５を載置するスペースを確保することが可能になる。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３１】
【図１】本発明に係るスタンド装置の実施の形態の構成を示す正面図である。
【図２】図１に示すスタンド装置の上面図である。
【図３】図１に示すスタンド装置の側面図である。
【図４】図１に示す中空パイプに組み込まれたガスダンパの構成を示す断面図である。
【図５】本発明に係るスタンド装置の他の実施の形態の中空パイプおよび昇降パイプの構成を示す正面図である。
【符号の説明】
【００３２】
１  台座
２  ターンテーブル
３  中空パイプ（上下昇降手段）
４  化粧パネル
５  昇降パイプ（上下昇降手段）
６  ＡＶ機器取付パネル
７  ディスプレイ取付パネル
８  スピーカ取付具
９  化粧カバー
１０  フラットディスプレイ
１１  再生装置
１２  センタスピーカ
１３  フロントスピーカ
１４  リアスピーカ
１５  サブウーハ
２１  ピストン
２２  フリーピストン
２３  オイル
２４  窒素ガス
２５  連結孔
２６  ロック解除ピン
２７  昇降レバー
３１  中空パイプ（他の実施の形態）
３２  昇降パイプ（他の実施の形態）
【図１】
2005303479.tif 000003
【図２】
2005303479.tif 000004
【図３】
2005303479.tif 000005
【図４】
2005303479.tif 000006
【図５】
2005303479.tif 000007